(57)【要約】      （修正有）【課題】光学系全体の大きさを抑制し、且つ防振群の大きさを抑制しながら、防振時にも良好な光学性能を有するズームレンズ及びそれを有する撮像装置を提供する。【解決手段】物体側から順に、正の第１レンズ群Ｂ１、負の第２レンズ群Ｂ２、正の第３レンズ群Ｂ３、負の第４レンズ群Ｂ４、正の第５レンズ群Ｂ５を有し、ズーミングに際して隣り合うレンズ群の間隔が変化し、第１レンズ群は変倍のためには光軸方向に不動であり、第２、３、４レンズ群は変倍に際して光軸方向に移動し、第４レンズ群はフォーカシングに際して光軸方向に移動し、第３レンズ群は、物体側から順に配置された、正の第１サブレンズ群Ｂ３１と、正の第２サブレンズ群Ｂ３２からなり、像振れ補正に際して第２サブレンズ群は光軸と直交方向の成分を含むように移動し、第１レンズ群、第３レンズ群、第４レンズ群、広角端におけるレンズ全系の焦点距離を適切に設定する。【選択図】図１
2018025623.tif 000002
【特許請求の範囲】
【請求項１】
物体側から像側へ順に、正の屈折力の第１レンズ群、負の屈折力の第２レンズ群、正の屈折力の第３レンズ群、負の屈折力の第４レンズ群、正の屈折力の第５レンズ群を有し、ズーミングに際して隣り合うレンズ群の間隔が変化するズームレンズであって、
前記第１レンズ群は、変倍のためには光軸方向に不動であり、前記第２レンズ群、前記第３レンズ群、及び前記第４レンズ群は変倍に際して光軸方向に移動し、
前記第４レンズ群はフォーカシングに際して光軸方向に移動し、
前記第３レンズ群は、物体側から像側へ順に配置された、正の屈折力の第１サブレンズ群と、正の屈折力の第２サブレンズ群からなり、像振れ補正に際して前記第２サブレンズ群は光軸と直交方向の成分を含むように移動し、
前記第１レンズ群の焦点距離をｆ１、前記第３レンズ群の焦点距離をｆ３、前記第４レンズ群の焦点距離をｆ４、広角端におけるレンズ全系の焦点距離をｆｗとするとき、
−１．３５＜ｆ３／ｆ４＜−０．７５
５．７０＜ｆ１／ｆｗ＜７．５０
なる条件式を満足することを特徴とするズームレンズ。
【請求項２】
前記第２サブレンズ群の焦点距離をｆ３２とするとき、
１．２０＜ｆ３２／ｆ３＜２．６０
なる条件式を満足することを特徴とする請求項１に記載のズームレンズ。
【請求項３】
請求項１または２に記載のズームレンズであって、
−０．５０＜ｆ４／ｆ１＜−０．２０
なる条件式を満足することを特徴とするズームレンズ。
【請求項４】
前記第２サブレンズ群は、１枚の正レンズと１枚の負レンズからなることを特徴とする請求項１乃至３のいずれか１項に記載のズームレンズ。
【請求項５】
前記第４レンズ群は、１枚の正レンズと１枚の負レンズからなることを特徴とする請求項１乃至４のいずれか１項に記載のズームレンズ。
【請求項６】
前記第３レンズ群は、少なくとも５枚のレンズを含むことを特徴とする請求項１乃至５のいずれか１項に記載のズームレンズ。
【請求項７】
前記第２レンズ群の焦点距離をｆ２とするとき、
−６．４０＜ｆ１／ｆ２＜−４．８
なる条件式を満足することを特徴とする請求項１乃至６のいずれか１項に記載のズームレンズ。
【請求項８】
広角端から望遠端へのズーミングに際しての前記第２レンズ群の移動量をＭ２、広角端から望遠端へのズーミングに際しての前記第３レンズ群の移動量をＭ３とするとき、
−５．００＜Ｍ２／Ｍ３＜−２．００
なる条件式を満足することを特徴とする請求項１乃至７のいずれか１項に記載のズームレンズ。
【請求項９】
請求項１乃至８のいずれか１項に記載のズームレンズと、該ズームレンズによって形成された像を受光する撮像素子を有することを特徴とする撮像装置。
【発明の詳細な説明】
【技術分野】
【０００１】
本発明は、ズームレンズ及びそれを有する撮像装置に関し、例えばデジタルカメラ、ビデオカメラ、ＴＶカメラ等の撮影系に好適なものである。
【背景技術】
【０００２】
近年、固体撮像素子を用いたデジタルスチルカメラ、ビデオカメラ等の装置全体の小型化が進んできた。一方で、高画質で被写界深度の浅い画を得るために固体撮像素子の大型化も望まれており、ズームレンズはより一層の小型化が求められている。
【０００３】
従来から、小型で変倍比を効率良く確保できるズームレンズとして、物体側より順に正、負、正、負の屈折力を有するレンズ群を有し、第３レンズ群より像側に配されたレンズ群にて変倍に伴う像面移動を補正すると共にフォーカシングを行なう、所謂リアフォーカス式のズームレンズが知られている。この他、高ズーム比で焦点距離の長いズーム範囲を有するズームレンズでは、振動や手ブレによる画像ブレを抑制することが重要となっており、画像のブレを軽減する防振機能を有することが要望されている。
【０００４】
例えば、特許文献１では物体側より順に正、負、正、負、正の屈折力を有するレンズ群を配し、第３レンズ群を３つの群に分割し、その真ん中の群で手ぶれ補正を行うズームレンズが開示されている。特許文献２では物体側より順に正、負、正、負、正の屈折力を有するレンズ群を配し、第３レンズ群の物体側の接合レンズで手ぶれ補正を行うズームレンズが開示されている。
【先行技術文献】
【特許文献】
【０００５】
【特許文献１】特開２０１４−１０２５２６号公報
【特許文献２】特開２００４−２１２６１１号公報
【発明の概要】
【発明が解決しようとする課題】
【０００６】
特許文献１では、第３レンズ群を３つの群に分割している。防振時の収差補正を良好に行うためには、第３レンズ群を構成するサブレンズ群内で収差補正が良好に補正されている必要があり、構成枚数が多くなり易い。そのため、第３レンズ群を可動群とする場合、レンズ群の重量が重くなり、レンズ群を駆動するためのアクチュエータが大きくなるため、小型化や省電力化が難しい。
【０００７】
特許文献２では、第３レンズ群の物体側の接合レンズで防振を行う構成を開示しているが、負の第２レンズ群からの出射光は発散光であるため、防振レンズ群のレンズ径を小さくすることが難しい。そのため、防振レンズ群を駆動するためのアクチュエータが大きくなり、小型化や省電力化が難しい。
【０００８】
そこで、本発明は、光学系全体の大きさを抑制し、且つ防振群の大きさを抑制しながら、防振時にも良好な光学性能を有するズームレンズ及びそれを有する撮像装置を提供することを目的としている。
【課題を解決するための手段】
【０００９】
上記目的を達成するために、本発明のズームレンズは、物体側から像側へ順に、正の屈折力の第１レンズ群、負の屈折力の第２レンズ群、正の屈折力の第３レンズ群、負の屈折力の第４レンズ群、正の屈折力の第５レンズ群を有し、ズーミングに際して隣り合うレンズ群の間隔が変化するズームレンズであって、前記第１レンズ群は変倍のためには光軸方向に不動であり、前記第２レンズ群、前記第３レンズ群、及び前記第４レンズ群は変倍に際して光軸方向に移動し、前記第４レンズ群はフォーカシングに際して光軸方向に移動し、前記第３レンズ群は、物体側から像側へ順に配置された、正の屈折力の第１サブレンズ群と、正の屈折力の第２サブレンズ群からなり、像振れ補正に際して前記第２サブレンズ群は光軸と直交方向の成分を含むように移動し、前記第１レンズ群の焦点距離をｆ１、前記第３レンズ群の焦点距離をｆ３、前記第４レンズ群の焦点距離をｆ４、広角端におけるレンズ全系の焦点距離をｆｗとするとき、
−１．３５＜ｆ３／ｆ４＜−０．７５
５．７０＜ｆ１／ｆｗ＜７．５０
なる条件式を満足することを特徴とする。
【発明の効果】
【００１０】
本発明によれば、光学系全体の大きさを抑制し、且つ防振群の大きさを抑制しながら、防振時にも良好な光学性能を有するズームレンズ及びそれを有する撮像装置を提供することができる。
【図面の簡単な説明】
【００１１】
【図１】数値実施例１の広角端において無限遠合焦時のレンズ断面図。
【図２】数値実施例１の広角端（ａ）、ズーム中間（ｂ）、望遠端（ｃ）で無限遠合焦時の収差図。
【図３】数値実施例２の広角端において無限遠合焦時のレンズ断面図。
【図４】数値実施例２の広角端（ａ）、ズーム中間（ｂ）、望遠端（ｃ）で無限遠合焦時の収差図。
【図５】数値実施例３の広角端において無限遠合焦時のレンズ断面図。
【図６】数値実施例３の広角端（ａ）、ズーム中間（ｂ）、望遠端（ｃ）で無限遠合焦時の収差図。
【図７】数値実施例４の広角端において無限遠合焦時のレンズ断面図。
【図８】数値実施例４の広角端（ａ）、ズーム中間（ｂ）、望遠端（ｃ）で無限遠合焦時の収差図。
【図９】本発明の撮像装置の実施形態を説明するための図である。
【図１０】数値実施例１の広角端、無限遠合焦状態の軸上光線の光路図である。
【発明を実施するための形態】
【００１２】
前記発明の効果を得るために、本発明では、物体側から像側へ順に、正の屈折力を有する第１レンズ群、負の屈折力を有する第２レンズ群、正の屈折力を有する第３レンズ群、負の屈折力を有する第４レンズ群、正の屈折力を有する第５レンズ群を有する。このような構成とすることで、小型化と高変倍比化を両立している。
【００１３】
変倍（ズーミング）に際して、前記第１レンズ群は光軸方向には固定され、少なくとも前記第２、３、４レンズ群は光軸方向に移動し、フォーカスに際して、前記第４レンズ群が光軸方向に移動する構成としている。第１レンズ群を変倍のためには不動とすることで、変倍及びフォーカシングの際にレンズ全長が一定となる構成としている。また、負の屈折力を有する第４レンズ群をフォーカス群とし、その像側に正の屈折力を有する第５レンズ群を配置することで、フォーカシングの際の繰り出し量を制御している。具体的には、第４レンズ群が光軸方向に移動した際の結像位置の変動量を大きくすることができる。固体撮像素子が大型化することで、レンズの焦点距離が長くなり、フォーカシングの際の繰り出し量が長くなるため、第４レンズ群が光軸方向に移動した際の結像位置の変動量を大きくすることがレンズの小型化のために重要となる。また、第３レンズ群を正の屈折力を有する第１サブレンズ群と、正の屈折力を有する第２サブレンズ群からなる構成としている。部分群を防振レンズ群とすることで、レンズの構成枚数を少なくすることができる。また、第２レンズ群からの射出光は発散光であるため、正の第１サブレンズ群で収斂させることで、入射光線の光線高さを低くすることができ、第２サブレンズ群のレンズ径を小径化することができる。以上のように第２サブレンズ群の構成枚数を少なくし、レンズ径を小径化することで、第２サブレンズ群の軽量化が可能となり、防振群を駆動するアクチュエータも小型化することができ、軽量化や省電力化が達成できる。
【００１４】
更に、本発明のズームレンズは以下の条件式を満足している。
−１．３５＜ｆ３／ｆ４＜−０．７５  ・・・（１）
５．７０＜ｆ１／ｆｗ＜７．５０  ・・・（２）
但し、前記３レンズ群の焦点距離をｆ３、前記第４レンズ群の焦点距離をｆ４、前記第１レンズ群の焦点距離をｆ１、広角端におけるレンズ全系での焦点距離をｆｗとする。
【００１５】
条件式（１）は第３レンズ群の焦点距離と第４レンズ群の焦点距離の比を規定した式である。条件式（１）を満足することで、防振時の性能変化の抑制と、防振のためのレンズの駆動量の抑制が両立できる。条件式（１）の上限値を上回ると、第３レンズ群の屈折力が弱くなり、第１サブレンズ群と第２サブレンズ群の屈折力が弱くなる。第１サブレンズ群の屈折力が弱くなると、収斂作用が十分に得られず、第２サブレンズ群の小径化が困難となる。もしくは、第２サブレンズ群の屈折力が弱くなり、像振れ補正のための第２サブレンズ群の光軸と直交する方向への移動量（光軸と直交方向の成分を有する移動量）が大きくなり、防振群の駆動のためのアクチュエータが大きくなるため、レンズの小型化が困難となる。逆に条件式（１）の下限値を下回ると、第３レンズ群の屈折力が強くなり、第１サブレンズ群の屈折力が強くなるため、球面収差のズーム変動の補正が困難となる。もしくは、第２サブレンズ群の屈折力が強くなるため、防振時のコマ収差の変動を抑えることが困難となる。
【００１６】
条件式（２）は第１レンズ群の焦点距離と広角端におけるズームレンズ全系の焦点距離の比を規定した式である。条件式（２）の上限値を上回ると、第１レンズ群の屈折力が弱くなり、所定の変倍比を得るために必要な第２レンズ群の移動量が増大するため、小型軽量化が困難となる。逆に条件式（２）の下限値を下回ると、第１レンズ群の屈折力が強くなり、望遠端の軸上色収差と球面収差の補正が困難になる。
【００１７】
更に好ましくは、条件式（１）、（２）は次の如く設定するのが良い。
−１．３０＜ｆ３／ｆ４＜−０．８０  ・・・（１ａ）
５．９０＜ｆ１／ｆｗ＜７．４０  ・・・（２ａ）
【００１８】
更なる本発明のズームレンズの態様として、以下の条件式を満足するのが望ましい。
１．２０＜ｆ３２／ｆ３＜２．６０  ・・・（３）
但し、前記第２サブレンズ群の焦点距離をｆ３２とする。
【００１９】
条件式（３）は、第２サブレンズ群の焦点距離と第３レンズ群の焦点距離の比を規定している。条件式（３）の上限値を上回ると、第２サブレンズ群の屈折力が相対的に強くなり、第２サブレンズを防振のために駆動する際の像の移動量が大きくなり過ぎるため、防振駆動の制御が困難となる。逆に条件式（３）の下限値を下回ると、第２サブレンズ群の屈折力が相対的に弱くなり、防振のための第２サブレンズ群の光軸と直交する方向への移動量が大きくなり、防振群の駆動のためのアクチュエータが大きくなるため、レンズの小型化が困難となる。
【００２０】
更に好ましくは、条件式（３）は次の如く設定するのが良い。
１．３５＜ｆ３２／ｆ３＜２．４５  ・・・（３ａ）
【００２１】
更なる本発明のズームレンズの態様として、以下の条件式を満足するのが望ましい。
−０．５０＜ｆ４／ｆ１＜−０．２０  ・・・（４）
【００２２】
条件式（４）は、第４レンズ群の焦点距離と第１レンズ群の焦点距離の比を規定している。条件式（４）の上限値を上回ると、第４レンズ群の屈折力が相対的に弱くなり、像面補正やフォーカス調整のための移動量が増大し、ズームレンズの小型軽量化が困難となる。逆に条件式（４）の下限値を下回ると、第４レンズ群の屈折力が相対的に強くなり、第４レンズ群が移動する際のピント位置の変化が大きくなり過ぎるため、像面補正やフォーカス調整の際の位置制御が困難となる。
【００２３】
更に好ましくは、条件式（４）は次の如く設定するのが良い。
−０．４８＜ｆ４／ｆ１＜−０．２２  ・・・（４ａ）
【００２４】
更なる本発明のズームレンズの態様として、前記第２サブレンズ群は１枚の正レンズと１枚の負レンズからなることが好ましい。正レンズ１枚と負レンズ１枚の構成とすることで、第２サブレンズ群内の色収差補正を良好に行うことができる。第２サブレンズ群は防振レンズ群であるため、第２サブレンズ群内の色収差補正を良好に行うことで、防振時の色収差変化を抑制することができる。また、２枚のレンズで構成することで、色収差補正と小型、軽量化を両立することができる。第２サブレンズ群を正レンズ１枚で構成する場合、色収差の補正が困難となる。また、第２サブレンズ群を３枚以上のレンズで構成する場合、防振レンズ群としての重量が増大するため、防振時にレンズを駆動するためのアクチュエータが大型化するため、小型、軽量化が困難となる。
【００２５】
更なる本発明のズームレンズの態様として、前記第４レンズ群は１枚の正レンズと１枚の負レンズからなることが好ましい。正レンズ１枚と負レンズ１枚の構成とすることで、第４レンズ群内の色収差補正を良好に行うことができる。第４レンズ群はフォーカス群であるため、第４レンズ群内の色収差補正を良好に行うことで、フォーカシングに伴う色収差変化を抑制することができる。第４レンズ群を負レンズ１枚で構成する場合、色収差の補正が困難となる。また、第４レンズ群を３枚以上のレンズで構成する場合、フォーカス群としての重量が増大するため、フォーカス群を駆動するためのアクチュエータが大型化するため、小型、軽量化が困難となる。
【００２６】
更なる本発明のズームレンズの態様として、前記第３レンズ群は、少なくとも５枚のレンズ成分からなることが好ましい。第３レンズ群の一部を防振レンズ群とする構成において、防振時のコマ収差の変動や、像面湾曲の変動を抑制するためには、第３レンズ群を構成するサブレンズ群内の収差補正が良好になされている必要がある。色収差補正を良好に行うためには、第１サブレンズ群と第２サブレンズ群のそれぞれに少なくとも１枚の負レンズが必要である。図１０は、実施例１の広角端における軸上光線と、軸外光線を示した光路図である。第１サブレンズ群は最も軸上光線の光線高さが高くなるレンズ群であるため、球面収差及びコマ収差の発生量が大きくなるレンズ群である。第１サブレンズ群を１枚の正レンズと１枚の負レンズのみで構成する場合、色収差補正と、球面収差及びコマ収差の補正を両立することが困難となる。そのため、第１サブレンズ群を少なくとも２枚の正レンズと少なくとも１枚の負レンズで構成し、第２サブレンズ群を少なくとも１枚の正レンズと少なくとも１枚の負レンズで構成し、第３レンズ群を合計５枚以上のレンズで構成することが好ましい。
【００２７】
更なる本発明のズームレンズの態様として、以下の条件式を満足するのが望ましい。
−６．４０＜ｆ１／ｆ２＜−４．８０  ・・・（５）
但し、前記第２レンズ群の焦点距離をｆ２とする。
【００２８】
条件式（５）は、第１レンズ群の焦点距離と第２レンズ群の焦点距離の比を規定している。条件式（５）の上限値を上回ると、第１レンズ群の屈折力が強くなり、望遠端の軸上色収差と球面収差の補正が困難になる。逆に条件式（５）の下限値を下回ると、第１レンズ群の屈折力が弱くなり、所定の変倍比を得るために必要な第２レンズ群の移動量が増大するため、小型軽量化が困難となる。
【００２９】
更に好ましくは、条件式（５）は次の如く設定するのが良い。
−６．２０＜ｆ１／ｆ２＜−５．００  ・・・（５ａ）
【００３０】
更なる本発明のズームレンズの態様として、以下の条件式を満足するのが望ましい。
−５．００＜Ｍ２／Ｍ３＜−２．００  ・・・（６）
但し、広角端から望遠端へのズーミングにおける第２レンズ群の移動量をＭ２、広角端から望遠端へのズーミングにおける第３レンズ群の移動量をＭ３とする。また、レンズ群の移動量の符号は広角端に比べて望遠端においてレンズ群が物体側に位置するときを負、像側に位置するときを正とする。尚、位置の差Ｍ２、Ｍ３は単調に移動するときは移動量に相当する。往復移動するときは、往復距離は含まず広角端における位置と望遠端における光軸方向の位置の差である。
【００３１】
条件式(６)は、広角端から望遠端へのズーミングに際しての第２レンズ群の移動量Ｍ２と第３レンズ群の移動量Ｍ３の比を規定している。条件式(６)の上限値を上回ると、第３レンズ群の移動量Ｍ３が大きくなりすぎ、レンズ全長が長くなる。結果としてズームレンズの小型化を実現することが困難になるため好ましくない。条件式（６）の下限値を下回ると、第３レンズ群の移動量Ｍ３が小さくなり、所定のズーム比を得るために必要な第２レンズ群の移動量が増大する。結果としてレンズ全長の増大や第１レンズ群の大型化を招きやすくなるため好ましくない。
【００３２】
更に好ましくは、条件式（６）は次の如く設定するのが良い。
−４．６０＜Ｍ２／Ｍ３＜−２．３０  ・・・（６ａ）
【００３３】
以下に本発明のズームレンズの具体的な構成について、実施例１〜４に対応する数値実施例１〜４のレンズ構成の特徴により説明する。
【実施例１】
【００３４】
図１は本発明の実施例１（数値実施例１）であるズームレンズにおいて、広角端で無限遠に合焦しているときのレンズ断面図である。図２において、（ａ）は広角端、（ｂ）は焦点距離５０．２６ｍｍ、（ｃ）は望遠端の縦収差図を示している。いずれの収差図も、無限遠に合焦しているときの縦収差図である。また、焦点距離の値は、後述する数値実施例をｍｍ単位で表したときの値である。これは以下の数値実施例においても、全て同じである。
【００３５】
図１において、物体側から像側へ順に、正の屈折力の第１レンズ群Ｂ１を有している。更に、広角端から望遠端への変倍に際して、像側へ移動する変倍用の負の屈折力の第２レンズ群Ｂ２を有している。更に、広角端から望遠端への変倍に際して、光軸上を非直線的に移動する変倍用の正の屈折力の第３レンズ群Ｂ３を有している。更に、第２レンズ群と第３レンズ群の移動に連動して光軸上を非直線的に移動し、変倍に伴う像面変動を補正する負の第４レンズ群Ｂ４を有している。更に第４レンズ群Ｂ４は無限遠側から至近側への合焦時に像側へ移動する。更に、変倍のためには移動しない結像作用をする正の屈折力の第５レンズ群Ｂ５を有している。すなわち、ズーミングに際して、第１、２、３、４、５レンズ群の隣接するレンズ群の間隔が変化するように構成されている。ＳＰは開口絞りである。Ｉは像面であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００３６】
縦収差図において、球面収差における直線と破線は各々ｄ線、ｇ線である。非点収差における破線と実線は各々メリディオナル像面、サジタル像面であり、倍率色収差における一点鎖線はｇ線である。ωは半画角、ＦｎｏはＦナンバーである。縦収差図では、球面収差は０．２ｍｍ、非点収差は０．２ｍｍ、歪曲は１０％、倍率色収差は０．０４ｍｍのスケールで描かれている。なお、以下の各実施例において広角端と望遠端は、変倍用の第２レンズ群Ｂ２が機構に対して光軸上を移動可能な範囲の両端に位置したときのズーム位置を指す。
【００３７】
次に、本実施例における第１レンズ群Ｂ１について説明する。第１レンズ群Ｂ１は第１面から第７面に対応する。第１レンズ群Ｂ１は、物体側に凸面のメニスカス凹レンズと両凸レンズの接合レンズ、物体側に凸面のメニスカス凸レンズ、物体側に凸面のメニスカス凸レンズで構成される。第２レンズ群Ｂ２は、第８面から第１５面に対応し、両凹レンズ、両凹レンズ、像側に凸面のメニスカス凹レンズ、両凸レンズで構成される。また、第１０面、１１面は非球面形状で、主に変倍に伴う像面湾曲、周辺像高におけるコマ収差の変動を補正している。第３レンズ群Ｂ３は、第１７面から第２５面に対応し、両凸レンズ、両凹レンズ、両凸レンズ、物体側に凸面のメニスカス凹レンズと両凸レンズの接合レンズで構成される。また、第１７面、１８面は非球面形状で、主に変倍に伴う球面収差の変動を補正している。また、第３レンズ群Ｂ３は、第１７面から第２２面の第１サブレンズ群Ｂ３１と、第２３面から第２５面に対応する接合正レンズで構成される第２サブレンズ群Ｂ３２と、から構成される。第２サブレンズ群Ｂ３２は、光軸と直交方向の成分を有する方向に移動することで手振れなどによる振動を補正する機能を有する。第４レンズ群Ｂ４は、第２６面から第２８面に対応し、像側が凸面のメニスカス凸レンズと両凹レンズの接合レンズで構成される。また、第４レンズ群Ｂ４は、無限遠側（図１中の実線）から至近側（図１中の破線）への合焦時に像側へ移動する合焦群である。第５レンズ群Ｂ５は、第２９面から第３３面に対応し、両凸レンズと像側が凸面のメニスカス凹レンズの接合レンズと両凸レンズで構成される。
【００３８】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉは、第ｉ番目の面と第ｉ＋１番目の面との間の媒質（光学部材）のｄ線（５８７．６ｎｍ）に対する屈折率、アッベ数を、ＢＦは空気換算のバックフォーカスを表している。なお、アッベ数νｄは、ｄ線、Ｆ線（４８６．１ｎｍ）、Ｃ線（６５６．３ｎｍ）に対する屈折率をそれぞれＮｄ、ＮＦ、ＮＣとしたとき、
νｄ＝（Ｎｄ−１）／（ＮＦ−ＮＣ）
で表される。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２をそれぞれ非球面係数としたとき、次式で表している。また、「ｅ−Ｚ」は「×１０−Ｚ」を意味する。半画角は光線追跡で求めた値である。
【数１】
2018025623.tif 000003
【００３９】
本実施例の各条件式対応値を表１に示す。本実施例は（１）〜（６）式を満足しており、光学系全体の大きさを抑制し、且つ防振群の大きさを抑制しながら、防振時にも良好な光学性能を有するズームレンズを達成している。本発明のズームレンズは、（１）〜（２）式を満足することは必須であるが、（３）〜（６）式については満足していなくても構わない。但し、（３）〜（６）式について少なくとも１つでも満足していれば更に良い効果を奏することができる。これは他の実施例についても同様である。
【００４０】
図９は各実施例のズームレンズを撮影光学系として用いた撮像装置（テレビカメラシステム）の概略図である。図９において１０１は実施例１〜４のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用のレンズ群Ｒを有している。変倍部ＬＺには合焦用レンズ群が含まれている。変倍部ＬＺは変倍のために光軸上を移動する第２レンズ群及び第３レンズ群と、変倍に伴う像面変動を補正するために光軸上を移動する第４レンズ群が含まれている。第４レンズ群は、無限遠側から至近側への合焦時に像側へ移動する合焦群を兼ねる。ＳＰは開口絞りである。１１５は変倍部ＬＺを光軸方向に駆動するヘリコイドやカム等の駆動機構である。１１７、１１８は駆動機構１１５及び開口絞りＳＰを電動駆動するモータ（駆動手段）である。１２０、１２１は、変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。なお、電子撮像素子を用いる場合、電子的に収差補正をすることで出力画像を更に高画質化することができる。また、１１１、１２２はカメラ１２４及びズームレンズ１０１の各種の駆動を制御するＣＰＵである。
【００４１】
このように、本発明のズームレンズをデジタルビデオカメラやテレビカメラやシネマ用カメラに適用することにより、高い光学性能を有する撮像装置を実現している。
【実施例２】
【００４２】
図３は本発明の実施例２（数値実施例２）であるズームレンズにおいて、広角端で無限遠に合焦しているときのレンズ断面図である。図４において、（ａ）は広角端、（ｂ）は焦点距離５４．４５ｍｍ、（ｃ）は望遠端の縦収差図を示している。いずれの収差図も、無限遠に合焦しているときの縦収差図である。図３において、物体側から順に、正の屈折力の第１レンズ群 Ｂ１を有している。更に、広角端から望遠端への変倍に際して、像側へ移動する変倍用の負の屈折力の第２レンズ群Ｂ２を有している。更に、広角端から望遠端への変倍に際して、光軸上を非直線的に移動する変倍用の正の屈折力の第３レンズ群Ｂ３を有している。更に、第２レンズ群と第３レンズ群の移動に連動して光軸上を非直線的に移動し、変倍に伴う像面変動を補正する負の第４レンズ群Ｂ４を有している。更に第４レンズ群は無限遠側から至近側への合焦時に像側へ移動する。更に、変倍のためには移動しない結像作用をする正の屈折力の第５レンズ群Ｂ５を有している。すなわち、ズーミングに際して、第１、２、３、４、５レンズ群の隣接するレンズ群の間隔が変化するように構成されている。ＳＰは開口絞り、Ｉは像面である。
【００４３】
次に、本実施例における第１レンズ群Ｂ１について説明する。第１レンズ群Ｂ１は第１面から第８面に対応する。第１レンズ群Ｂ１は、物体側に凸面のメニスカス凹レンズ、両凸レンズ、物体側に凸面のメニスカス凸レンズ、物体側に凸面のメニスカス凸レンズで構成される。第２レンズ群Ｂ２は、第９面から第１４面に対応し、物体側に凸面のメニスカス凹レンズ、両凹レンズ、両凸レンズで構成される。また、第１０面は非球面形状で、主に変倍に伴う像面湾曲、周辺像高におけるコマ収差の変動を補正している。第３レンズ群Ｂ３は、第１６面から第２４面に対応し、両凸レンズ、物体側に凸面のメニスカス凹レンズ、両凸レンズ、両凸レンズと像側に凸面のメニスカス凹レンズの接合レンズで構成される。また、第１６面、１７面は非球面形状で、主に変倍に伴う球面収差の変動を補正している。また、第３レンズ群Ｂ３は、第１６面から第２１面の第１サブレンズ群Ｂ３１と、第２２面から第２４面に対応する接合正レンズで構成される第２サブレンズ群Ｂ３２と、から構成される。第２サブレンズ群Ｂ３２は、光軸と直交方向の成分を有する方向に移動することで手振れなどによる振動を補正する機能を有する。第４レンズ群Ｂ４は、第２５面から第２７面に対応し、像側が凸面のメニスカス凸レンズと両凹レンズの接合レンズで構成される。また、第４レンズ群Ｂ４は、無限遠側（図３中の実線）から至近側（図３中の破線）への合焦時に像側へ移動する合焦群である。第５レンズ群Ｂ５は、第２８面から第３２面に対応し、物体側が凸面のメニスカス凹レンズと物体側凸のメニスカス凸レンズの接合レンズと両凸レンズで構成される。本実施例の各条件式対応値を表１に示す。本実施例は（１）〜（６）式を満足しており、光学系全体の大きさを抑制し、且つ防振群の大きさを抑制しながら、防振時にも良好な光学性能を有するズームレンズを達成している。
【実施例３】
【００４４】
図５は本発明の実施例３（数値実施例３）であるズームレンズにおいて、広角端で無限遠に合焦しているときのレンズ断面図である。図６において、（ａ）は広角端、（ｂ）は焦点距離４４．５１ｍｍ、（ｃ）は望遠端の縦収差図を示している。いずれの収差図も、無限遠に合焦しているときの縦収差図である。図５において、物体側から順に、正の屈折力の第１レンズ群Ｂ１を有している。更に、広角端から望遠端への変倍に際して、像側へ移動する変倍用の負の屈折力の第２レンズ群Ｂ２を有している。更に、広角端から望遠端への変倍に際して、光軸上を非直線的に移動する変倍用の正の屈折力の第３レンズ群Ｂ３を有している。更に、第２レンズ群と第３レンズ群の移動に連動して光軸上を非直線的に移動し、変倍に伴う像面変動を補正する負の第４レンズ群Ｂ４を有している。更に第４レンズ群は無限遠側から至近側への合焦時に像側へ移動する。更に、広角端から望遠端への変倍に際して、光軸上を非直線的に移動する変倍用の正の屈折力の第５レンズ群Ｂ５を有している。更に、変倍のためには移動しない結像作用をする正の屈折力の第６レンズ群Ｂ６を有している。すなわち、ズーミングに際して、第１、２、３、４、５、６レンズ群の隣接するレンズ群の間隔が変化するように構成されている。ＳＰは開口絞り、Ｉは像面である。
【００４５】
次に、本実施例における第１レンズ群Ｂ１について説明する。第１レンズ群Ｂ１は第１面から第７面に対応する。第１レンズ群Ｂ１は、物体側に凸面のメニスカス凹レンズと両凸レンズの接合レンズ、物体側に凸面のメニスカス凸レンズ、物体側に凸面のメニスカス凸レンズで構成される。第２レンズ群Ｂ２は、第８面から第１５面に対応し、物体側に凸面のメニスカス凹レンズ、両凹レンズ、像側に凸面のメニスカス凹レンズ、両凸レンズで構成される。また、第１０面、１１面は非球面形状で、主に変倍に伴う像面湾曲、周辺像高におけるコマ収差の変動を補正している。第３レンズ群Ｂ３は、第１７面から第２５面に対応し、両凸レンズ、物体側に凸面のメニスカス凹レンズ、両凸レンズ、物体側に凸面のメニスカス凹レンズと両凸レンズの接合レンズで構成される。また、第１７面、１８面は非球面形状で、主に変倍に伴う球面収差の変動を補正している。また、第３レンズ群Ｂ３は、第１７面から第２２面の第１サブレンズ群Ｂ３１と、第２３面から第２５面に対応する接合正レンズで構成される第２サブレンズ群Ｂ３２と、から構成される。第２サブレンズ群Ｂ３２は、光軸と直交方向の成分を有する方向に移動することで手振れなどによる振動を補正する機能を有する。第４レンズ群Ｂ４は、第２６面から第２８面に対応し、像側が凸面のメニスカス凸レンズと両凹レンズの接合レンズで構成される。また、第４レンズ群Ｂ４は、無限遠側（図５中の実線）から至近側（図５中の破線）への合焦時に像側へ移動する合焦群である。第５レンズ群Ｂ５は、第２９面から第３１面に対応し、両凸レンズと像側が凸面のメニスカス凹レンズの接合レンズで構成される。第６レンズ群Ｂ６は、第３２面から第３３面に対応し、両凸レンズで構成される。本実施例の各条件式対応値を表１に示す。本実施例は（１）〜（６）式を満足しており、光学系全体の大きさを抑制し、且つ防振群の大きさを抑制しながら、防振時にも良好な光学性能を有するズームレンズを達成している。
【実施例４】
【００４６】
図７は本発明の実施例４（数値実施例４）であるズームレンズにおいて、広角端で無限遠に合焦しているときのレンズ断面図である。図８において、（ａ）は広角端、（ｂ）は焦点距離７３．０７ｍｍ、（ｃ）は望遠端の縦収差図を示している。いずれの収差図も、無限遠に合焦しているときの縦収差図である。図７において、物体側から順に、正の屈折力の第１レンズ群Ｂ１を有している。更に、広角端から望遠端への変倍に際して、像側へ移動する変倍用の負の屈折力の第２レンズ群Ｂ２を有している。更に、広角端から望遠端への変倍に際して、光軸上を非直線的に移動する変倍用の正の屈折力の第３レンズ群Ｂ３を有している。更に、第２レンズ群と第３レンズ群の移動に連動して光軸上を非直線的に移動し、変倍に伴う像面変動を補正する負の第４レンズ群Ｂ４を有している。更に第４レンズ群は無限遠側から至近側への合焦時に像側へ移動する。更に、変倍のためには移動しない結像作用をする正の屈折力の第５レンズ群Ｂ５を有している。すなわち、ズーミングに際して、第１、２、３、４、５レンズ群の隣接するレンズ群の間隔が変化するように構成されている。ＳＰは開口絞り、Ｉは像面である。
【００４７】
次に、本実施例における第１レンズ群Ｂ１について説明する。第１レンズ群Ｂ１は第１面から第５面に対応する。第１レンズ群Ｂ１は、物体側に凸面のメニスカス凹レンズと両凸レンズの接合レンズ、物体側に凸面のメニスカス凸レンズで構成される。第２レンズ群Ｂ２は、第６面から第１２面に対応し、物体側に凸面のメニスカス凹レンズ、両凹レンズと物体側に凸面のメニスカス凸レンズの接合レンズ、像側に凸面のメニスカス凹レンズで構成される。また、第７面は非球面形状で、主に広角側での像面湾曲を補正している。第３レンズ群Ｂ３は、第１４面から第２２面に対応し、両凸レンズ、物体側凸のメニスカス凹レンズ、両凸レンズ、両凸レンズと像側に凸面のメニスカス凹レンズの接合レンズで構成される。また、第１４面、１８面は非球面形状で、主に変倍に伴う球面収差の変動を補正している。また、第３レンズ群Ｂ３は、第１４面から第１９面の第１サブレンズ群Ｂ３１と、第２０面から第２２面に対応する接合正レンズで構成される第２サブレンズ群Ｂ３２と、から構成される。第２サブレンズ群Ｂ３２は、光軸と直交方向の成分を有する方向に移動することで手振れなどによる振動を補正する機能を有する。第４レンズ群Ｂ４は、第２３面から第２５面に対応し、像側が凸面のメニスカス凸レンズと両凹レンズの接合レンズで構成される。また、第２３面は非球面形状で、主にフォーカシングに伴う球面収差の変動を補正している。また、第４レンズ群Ｂ４は、無限遠側（図７中の実線）から至近側（図７中の破線）への合焦時に像側へ移動する合焦群である。第５レンズ群Ｂ５は、第２６面から第３０面に対応し、像側に凸面のメニスカス凸レンズ、両凸レンズと像側が凸面のメニスカス凹レンズの接合レンズで構成される。また、第２７面は非球面形状で、主に像面湾曲や周辺像高でのコマ収差を補正している。本実施例の各条件式対応値を表１に示す。本実施例は（１）〜（６）式を満足しており、光学系全体の大きさを抑制し、且つ防振群の大きさを抑制しながら、防振時にも良好な光学性能を有するズームレンズを達成している。
【００４８】
（数値実施例１）
単位 mm
面データ
面番号i      ri       di     ndi       νdi
1        203.590    1.73   1.91650    31.6           
2         46.073    6.23   1.49700    81.5           
3       -338.931    0.15                             
4         65.676    2.89   1.49700    81.5           
5        423.518    0.13                             
6         45.557    3.60   1.76385    48.5           
7        352.111  (可変)                             
8       -345.383    0.86   1.83481    42.7           
9         11.919    4.70                             
10*       -58.675    0.95   1.58313    59.5           
11*        26.335    2.97                             
12        -17.543    0.80   1.49700    81.5           
13        -47.435    0.11                             
14         79.462    1.78   1.92286    18.9           
15        -64.072  (可変)                             
16(絞り)    ∞     (可変)                             
17*        17.378    4.55   1.58313    59.5           
18*       -59.245    3.92                             
19       -214.092    0.70   1.83400    37.2           
20         19.622    0.45                             
21         26.986    3.49   1.43700    95.1           
22        -27.056    1.56                             
23         18.009    0.58   1.95375    32.3           
24         12.939    3.98   1.48749    70.2           
25        -71.491  (可変)                             
26       -265.768    1.62   1.84666    23.9           
27        -18.099    0.58   1.78590    44.2           
28         18.282  (可変)                             
29         87.178    4.77   1.48749    70.2           
30        -16.724    0.77   2.00069    25.5           
31        -33.542    0.17                             
32         39.050    4.13   1.48749    70.2           
33        -31.888  (可変)                             
34          ∞       1.44   1.51633    64.1           
35          ∞       6.87                             
像面        ∞   
非球面データ
第10面
K = 0.00000e+000  A 4=-3.18873e-005  A 6=-3.42311e-007  A 8= 1.67887e-009  
第11面
K = 0.00000e+000  A 4=-6.53597e-005  A 6=-2.82787e-007  A 8= 1.83322e-009  
第17面
K = 0.00000e+000  A 4=-1.69513e-005  A 6=-1.67145e-008  A 8=-1.47643e-010  
第18面
K = 0.00000e+000  A 4= 2.01188e-005  A 6=-3.66026e-008  A 8= 3.38763e-011  
各種データ
ズーム比     14.55 
広角     中間     望遠
焦点距離       8.55    50.26   124.40  
Fナンバー      2.85     4.10     4.60  
半画角        37.02     8.39     3.41  
像高           6.45     7.41     7.41  
レンズ全長   139.31   139.31   139.31  
BF            14.02    14.02    14.02  
d 7            1.12    24.36    34.32  
d15           34.47    11.23     1.27  
d16           14.88     0.98     0.96  
d25            1.85    13.96    15.98  
d28           14.82    16.60    14.60  
d33            6.19     6.19     6.19  
ズームレンズ群データ
群  始面    焦点距離  
1    1      54.94  
2    8     -10.29  
3   17      21.84  
4   26     -23.30  
5   29      31.44  
【００４９】
（数値実施例２）
単位 mm
面データ
面番号i      ri       di     ndi       νdi
1        628.518    1.71   1.90366    31.3           
2         62.741    1.00                             
3         63.212    7.46   1.49700    81.5           
4       -170.632    0.15                             
5         67.586    4.64   1.53775    74.7           
6       7465.192    0.15                             
7         53.915    3.91   1.76385    48.5           
8        163.850  (可変)                             
9      11891.795    0.89   1.85135    40.1           
10*        11.946    7.12                             
11        -17.253    0.68   1.59522    67.7           
12         64.849    0.14                             
13         42.108    2.71   1.92286    18.9           
14        -89.121  (可変)                             
15(絞り)    ∞     (可変)                             
16*        14.380    4.80   1.58313    59.4           
17*       -71.741    2.38                             
18         69.289    0.89   1.83400    37.2           
19         13.817    0.91                             
20         23.568    3.16   1.49700    81.5           
21        -95.858    6.51                             
22         25.709    3.72   1.59522    67.7           
23        -16.166    0.60   1.69895    30.1           
24        -51.871  (可変)                             
25       -147.095    2.11   1.95906    17.5           
26        -20.213    0.85   1.83400    37.2           
27         14.670  (可変)                             
28         50.676    0.76   1.80809    22.8           
29         17.046    3.77   1.60342    38.0           
30        111.069    0.10                             
31         20.508    5.08   1.49700    81.5           
32        -34.358  (可変)                             
33          ∞       2.00   1.51633    64.1           
34          ∞       3.05                             
像面        ∞   
非球面データ
第10面
K =-5.27323e-001  A 4= 1.30485e-005  A 6= 5.15930e-008  A 8= 2.88029e-009  A10=-2.93057e-011  A12= 2.02915e-013  
第16面
K =-8.18409e-002  A 4=-2.12687e-005  A 6=-8.02485e-008  A 8= 3.27136e-010  A10=-5.43347e-012  A12=-2.05658e-014  
第17面
K =-2.56428e+001  A 4= 9.78783e-006  A 6=-5.78943e-008  A 8= 8.16150e-010  A10=-8.99064e-012  A12= 6.39737e-015  
各種データ
ズーム比     20.00 
広角     中間     望遠
焦点距離       8.50    54.45   170.00  
Fナンバー      2.70     3.96     4.50  
半画角        37.14     7.74     2.49  
像高           6.44     7.40     7.40  
レンズ全長   144.32   144.32   144.32  
BF            11.37    11.37    11.37  
d 8            1.03    30.59    43.25  
d14           43.57    14.02     1.35  
d15           13.28     0.91     0.79  
d24            2.11    10.84     6.13  
d27            6.79    10.42    15.25  
d32            7.00     7.00     7.00  
ズームレンズ群データ
群  始面    焦点距離  
1    1      62.18  
2    9     -11.76  
3   16      22.57  
4   25     -17.38  
5   28      28.05  
【００５０】
（数値実施例３）
単位 mm
面データ
面番号i      ri       di     ndi       νdi
1        129.873    1.62   1.91650    31.6           
2         40.556    7.14   1.49700    81.5           
3      -4541.873    0.17                             
4         50.167    3.92   1.49700    81.5           
5        379.118    0.17                             
6         43.475    3.67   1.76385    48.5           
7        229.615  (可変)                             
8        344.738    0.80   1.83481    42.7           
9         11.000    4.20                             
10*     -1131.597    0.61   1.58313    59.5           
11*        27.191    3.45                             
12        -13.399    0.60   1.43700    95.1           
13        -90.092    0.14                             
14         89.207    1.90   1.92286    18.9           
15        -61.798  (可変)                             
16(絞り)    ∞     (可変)                             
17*        16.682    4.32   1.58313    59.4           
18*       -65.999    3.47                             
19        838.885    0.63   1.83400    37.2           
20         19.683    0.75                             
21         29.127    3.80   1.43700    95.1           
22        -23.217    0.39                             
23         19.352    0.60   1.95375    32.3           
24         13.784    3.84   1.48749    70.2           
25        -84.151  (可変)                             
26       -296.190    1.24   1.84666    23.9           
27        -20.957    0.82   1.78590    44.2           
28         18.696  (可変)                             
29         47.411    4.05   1.48749    70.2           
30        -18.173    0.73   2.00069    25.5           
31        -42.420  (可変)                             
32         62.639    3.24   1.48749    70.2           
33        -28.992  (可変)                             
34          ∞       1.80   1.51633    64.1           
35          ∞       6.99                             
像面        ∞   
非球面データ
第10面
K = 1.94946e+004  A 4=-1.32896e-005  A 6=-6.43513e-007  A 8= 6.18406e-010  
第11面
K = 8.95614e-001  A 4=-5.29842e-005  A 6=-8.12556e-007  A 8= 1.95377e-009  
第17面
K =-1.04648e+000  A 4= 8.71995e-006  A 6= 3.45366e-008  A 8= 1.02665e-010  
第18面
K =-4.40946e+001  A 4= 9.89401e-006  A 6= 5.73134e-008  A 8=-2.15226e-010  
各種データ
ズーム比     12.00 
広角     中間     望遠
焦点距離       8.30    44.51    99.60  
Fナンバー      2.50     3.27     3.60  
半画角        37.84     9.45     4.25  
像高           6.45     7.41     7.41  
レンズ全長   126.70   126.70   126.70  
BF            14.77    14.77    14.77  
d 7            0.62    21.11    29.89  
d15           30.65    10.16     1.38  
d16           12.42     1.34     2.52  
d25            1.58    11.49    11.18  
d28            9.90     8.93    10.19  
d31            0.48     2.62     0.49  
d33            6.59     6.59     6.59  
ズームレンズ群データ
群  始面    焦点距離  
1    1      50.34  
2    8      -9.76  
3   17      20.11  
4   26     -23.77  
5   29     169.15  
6   32      41.13  
【００５１】
（数値実施例４）
単位 mm
面データ
面番号i      ri       di     ndi       νdi
1        116.966    1.50   1.91650    31.6           
2         48.440    6.88   1.59522    67.7           
3       -349.456    0.16                             
4         46.108    4.78   1.59522    67.7           
5        330.108  (可変)                             
6         41.904    1.00   1.85135    40.1           
7*        15.010    4.91                             
8        -27.537    0.75   1.59522    67.7           
9         19.154    2.80   1.95906    17.5           
10         53.022    2.60                             
11        -18.512    0.70   1.69680    55.5           
12        -36.450  (可変)                             
13(絞り)    ∞     (可変)                             
14*        16.949    4.64   1.59349    67.0           
15       -118.473    3.51                             
16         75.509    1.00   1.73800    32.3           
17         16.049    1.01                             
18*        18.064    3.04   1.59349    67.0           
19        -79.933    0.31                             
20         34.055    2.96   1.49700    81.5           
21        -16.710    0.94   1.65412    39.7           
22        -36.147  (可変)                             
23*      -403.662    2.20   1.95906    17.5           
24        -30.092    0.70   1.88300    40.8           
25         14.513  (可変)                             
26        -74.834    2.20   1.43875    94.9           
27*       -52.445    0.19                             
28         16.043    6.09   1.43875    94.9           
29        -42.115    0.74   1.89286    20.4           
30        -56.899  (可変)                             
31          ∞       2.35   1.51633    64.1           
32          ∞       3.43                             
像面        ∞   
非球面データ
第7面
K = 2.46057e-001  A 4=-4.69144e-006  A 6=-4.51637e-008  A 8= 6.16198e-010  
第14面
K =-3.56247e-001  A 4=-8.83698e-006  A 6=-5.57216e-008  A 8= 1.08274e-010  
第18面
K = 7.36590e-001  A 4=-5.33833e-005  A 6=-7.60453e-009  A 8=-3.80882e-010  
第23面
K =-5.18031e+002  A 4= 1.09452e-005  A 6=-7.23986e-008  A 8= 5.22786e-010  
第27面
K = 1.38843e+001  A 4= 2.42121e-005  A 6=-7.83006e-008  A 8= 7.86833e-010  
各種データ
ズーム比     12.00 
広角     中間     望遠
焦点距離      10.00    73.07   120.00  
Fナンバー      2.80     4.36     4.50  
半画角        32.17     5.78     3.53  
像高           6.29     7.40     7.40  
レンズ全長   134.79   134.79   134.79  
BF             9.98     9.98     9.98  
d 5            0.86    33.68    39.70  
d12           40.38     7.56     1.54  
d13           10.39     2.10     1.88  
d22            1.35    10.36    12.18  
d25           16.22    15.49    13.89  
d30            5.00     5.00     5.00  
ズームレンズ群データ
群  始面    焦点距離  
1    1      71.50  
2    6     -11.63  
3   14      18.13  
4   23     -16.44  
5   26      29.11  
【００５２】
【表１】
2018025623.tif 000004
【符号の説明】
【００５３】
Ｂ１  第１レンズ群
Ｂ２  第２レンズ群
Ｂ３  第３レンズ群
Ｂ４  第４レンズ群
Ｂ５  第５レンズ群
【図１】
2018025623.tif 000005
【図２】
2018025623.tif 000006
【図３】
2018025623.tif 000007
【図４】
2018025623.tif 000008
【図５】
2018025623.tif 000009
【図６】
2018025623.tif 000010
【図７】
2018025623.tif 000011
【図８】
2018025623.tif 000012
【図９】
2018025623.tif 000013
【図１０】
2018025623.tif 000014